【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
限定再生型光情報記憶媒体の製造方法であって、
第一の基板及び第二の基板を用意し、
任意には前記第一の基板上に反応層を配設し、
前記第二の基板上に反射層を配設し、
任意には前記反射層上に反応層を配設し、
情報記憶媒体中に１以上の反応層が存在することを条件として、前記層が前記第一の基板と前記第二の基板との間に配設されるようにして前記第一の基板を前記第二の基板に密着させる
ことを含んでなる方法。
【請求項２】
前記第一の基板が塑性物質である、請求項１記載の方法。
【請求項３】
限定再生型光情報記憶媒体の製造方法であって、
第一のポリカーボネート基板及び第二のポリカーボネート基板を用意し、
前記第一のポリカーボネート基板上にアルミニウム層を配設し、
ポリ（メチルメタクリレート／メタクリル酸）及びポリメチルメタクリレート／ロイコメチレンブルーを含む反応層を前記アルミニウム層上に配設し、
前記層が前記第一のポリカーボネート基板と前記第二のポリカーボネート基板との間に配設されるようにして、アクリル接着層を介して前記第一のポリカーボネート基板を前記第二のポリカーボネート基板に密着させる
ことを含んでなる方法。
【請求項４】
限定再生型光情報記憶媒体の製造方法であって、
第一のポリカーボネート基板及び第二のポリカーボネート基板を用意し、
前記第一のポリカーボネート基板上にアルミニウム層を配設し、
ポリ（メチルメタクリレート／メタクリル酸）及びポリメチルメタクリレート／ロイコメチレンブルーを含む反応層を前記第二のポリカーボネート基板上に配設し、
前記層が前記第一のポリカーボネート基板と前記第二のポリカーボネート基板との間に配設されるようにして、アクリル接着層を介して前記第一のポリカーボネート基板を前記第二のポリカーボネート基板に密着させる
ことを含んでなる方法。
【請求項５】
限定再生型光情報記憶媒体の製造方法であって、
第一の基板及び第二の基板を用意し、
前記第一の基板上に反応層を配設し、
前記反応層上に反射層を配設し、
任意には前記反射層上に反応層を配設し、
前記層が前記第一の基板と前記第二の基板との間に配設されるようにして前記第一の基板を前記第二の基板に密着させる
ことを含んでなる方法。
【請求項６】
限定再生型光情報記憶媒体の製造方法であって、
第一のポリカーボネート基板及び第二のポリカーボネート基板を用意し、
ポリ（メチルメタクリレート／メタクリル酸）及びポリメチルメタクリレート／ロイコメチレンブルーを含む反応層を前記第一のポリカーボネート基板上に配設し、
前記反応層上にアルミニウム層を配設し、
前記層が前記第一の基板と前記第二の基板との間に配設されるようにして、アクリル接着層を介して前記第一のポリカーボネート基板を前記第二のポリカーボネート基板に密着させる
ことを含んでなる方法。
【請求項７】
限定再生型光情報記憶媒体の製造方法であって、
第一の基板及び第二の基板を用意し、
任意には前記第一の基板上に反応層を配設し、
前記第一の基板上に反応層が配設される場合には前記反応層上に金層が配設されることを条件にして、前記第一の基板上に半反射層を配設し、
任意には前記金層上に反応層を配設し、
前記第二の基板上に反射層を配設し、
任意には前記反射層上に反応層を配設し、
前記情報記憶媒体中に１以上の反応層が存在することを条件として、前記層が前記第一の基板と前記第二の基板との間に配設されるようにして前記第一の基板を前記第二の基板に密着させる
ことを含んでなる方法。
【請求項８】
限定再生型光情報記憶媒体の製造方法であって、
第一のポリカーボネート基板及び第二のポリカーボネート基板を用意し、
ポリ（メチルメタクリレート／メタクリル酸）及びポリメチルメタクリレート／ロイコメチレンブルーを含む反応層を前記第一のポリカーボネート基板上に配設し、
前記反応層上に金層を配設し、
前記第二のポリカーボネート基板上にアルミニウム層を配設し、
前記層が前記第一のポリカーボネート基板と前記第二のポリカーボネート基板との間に配設されるようにして、アクリル接着層を介して前記第一のポリカーボネート基板を前記第二のポリカーボネート基板に密着させる
ことを含んでなる方法。
【請求項９】
限定再生型光情報記憶媒体の製造方法であって、
第一のポリカーボネート基板及び第二のポリカーボネート基板を用意し、
前記第一のポリカーボネート基板上に金層を配設し、
ポリ（メチルメタクリレート／メタクリル酸）及びポリメチルメタクリレート／ロイコメチレンブルーを含む反応層を前記金層上に配設し、
前記第二のポリカーボネート基板上にアルミニウム層を配設し、
前記層が前記第一のポリカーボネート基板と前記第二のポリカーボネート基板との間に配設されるようにして、アクリル接着層を介して前記第一のポリカーボネート基板を前記第二のポリカーボネート基板に密着させる
ことを含んでなる方法。
【請求項１０】
限定再生型光情報記憶媒体の製造方法であって、
第一のポリカーボネート基板及び第二のポリカーボネート基板を用意し、
前記第一のポリカーボネート基板上に金層を配設し、
前記第二のポリカーボネート基板上にアルミニウム層を配設し、
ポリ（メチルメタクリレート／メタクリル酸）及びポリメチルメタクリレート／ロイコメチレンブルーを含む反応層を前記アルミニウム層上に配設し、
前記層が前記第一のポリカーボネート基板と前記第二のポリカーボネート基板との間に配設されるようにして、アクリル接着層を介して前記第一のポリカーボネート基板を前記第二のポリカーボネート基板に密着させる
ことを含んでなる方法。
【手続補正２】
【補正対象書類名】明細書
【補正対象項目名】０００５
【補正方法】変更
【補正の内容】
【０００５】
映画スタジオ側からは、その知的財産を保護することが強く要望されている。容易に無効化されて非限定再生可能性をもった情報記憶媒体を与え得る限定再生型情報記憶媒体の商品化は、知的財産の損失という容認できないリスクをもたらすであろう。
【特許文献１】米国特許第４８６３６３４号明細書
【特許文献２】米国特許第５７４７６３２号明細書
【特許文献３】米国特許第３７６８９７６号明細書
【特許文献４】米国特許第３８８０８６９号明細書
【特許文献５】米国特許第３８８０８６９号明細書
【特許文献６】米国特許第４２２０７０７号明細書
【特許文献７】米国特許第４３３２８８０号明細書
【特許文献８】米国特許第４５３２２０８号明細書
【特許文献９】米国特許第４５７１６０５号明細書
【特許文献１０】米国特許第５３６８９８８号明細書
【特許文献１１】米国特許第５５３００８３号明細書
【特許文献１２】米国特許第５５５８８０８号明細書
【特許文献１３】米国特許第５５８３０４７号明細書
【特許文献１４】米国特許第５６２０８３９号明細書
【特許文献１５】米国特許第５５７３４１３号明細書
【特許文献１６】米国特許第５８８２３５８号明細書
【特許文献１７】米国特許第６１１７２８４号明細書
【特許文献１８】米国特許第６１３６３４７号明細書
【特許文献１９】米国特許第６１６８８４４号明細書
【特許文献２０】米国特許第６１６８４４０号明細書
【特許文献２１】米国特許第６３３８９３３号明細書
【特許文献２２】米国特許第４８９１８００号明細書
【特許文献２３】欧州特許出願公開第０４５５５８５号明細書
【特許文献２４】欧州特許出願公開第０６５８８０４号明細書
【特許文献２５】欧州特許出願公開第０８３１４７３号明細書
【特許文献２６】特開平０５−２７３６９１号公報
【特許文献２７】特開昭５５−０３０６０５号公報
【特許文献２８】特開昭６０−０９３９８３号公報
【特許文献２９】特開平０６−０６０４２２号公報
【特許文献３０】国際公開第９６／３９６９３号パンフレット
【特許文献３１】国際公開第９８／１１５３９号パンフレット
【特許文献３２】国際公開第０２／２９８０１号パンフレット